【手続補正書】
【提出日】平成19年9月5日(2007.9.5)
【手続補正１】
【補正対象書類名】特許請求の範囲
【補正対象項目名】全文
【補正方法】変更
【補正の内容】
【特許請求の範囲】
【請求項１】
互いに独立した複数のジョブデータを記憶可能な記憶手段のジョブデータを印刷可能な画像形成装置であって、
前記記憶手段のジョブデータのうちの、互いに独立した複数のジョブデータの印刷処理を連続的に実行する複数ジョブ連続印刷動作を、前記画像形成装置により、実行可能にする、制御手段を有し、
前記制御手段は、
前記複数ジョブ連続印刷動作により連続印刷対象となる複数のジョブデータの印刷処理が全て完了する前に、印刷結果をユーザにより確認可能にする試し印刷処理を、該連続印刷対象となる前記複数のジョブデータの夫々に対して、前記画像形成装置により、実行可能にする、ことを特徴とする画像形成装置。
【請求項２】
互いに独立した複数のジョブデータを記憶可能な記憶手段のジョブデータを印刷可能な画像形成装置であって、
前記記憶手段のジョブデータのうちの、互いに独立した複数のジョブデータの印刷処理をジョブ毎に設定済みの印刷条件でもって連続的に実行する複数ジョブ連続印刷動作を、前記画像形成装置により、実行可能にする、制御手段を有し、
前記制御手段は、
前記複数ジョブ連続印刷動作により連続印刷対象の前記複数のジョブデータの印刷処理が全て完了する前に、印刷結果をユーザにより確認可能にする試し印刷処理を、該連続印刷対象の前記複数のジョブデータの夫々に対して、前記画像形成装置により、実行可能にし、
該試し印刷処理がなされたうえで、前記連続印刷対象の前記複数のジョブデータの印刷条件を変更可能にし、
該印刷条件の変更がなされたうえで、前記複数のジョブデータの前記複数ジョブ連続印刷動作を、前記画像形成装置により、実行可能にすることを特徴とする画像形成装置。
【請求項３】
請求項１又は２記載の画像形成装置であって、
前記連続印刷対象となるジョブをユーザが選択した際に前記複数ジョブ連続印刷動作を実行させる即時連続印刷モードと、
前記連続印刷対象となるジョブをユーザが選択した際に前記複数ジョブ連続印刷動作を実行させずに、ユーザが指定したタイミングで、前記複数ジョブ連続印刷動作を実行させる日時指定連続印刷モードと、
のうちの、ユーザにより指定されたモードでもって、前記複数ジョブ連続印刷動作を、前記画像形成装置により、実行可能にする、ことを特徴とする画像形成装置。
【請求項４】
第１のジョブデータ及び第２のジョブデータを含む互いに独立した複数のジョブデータを記憶可能な記憶手段のジョブデータを印刷可能なプリント手段を有する画像形成装置であって、
該記憶手段の前記第１のジョブデータの印刷処理を実行し、且つ、前記第２のジョブデータの印刷処理を実行する、第１の連続動作、を、第１指示により、該プリント手段により実行可能にする制御手段を有し、
前記制御手段は、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行を実行する、第２の連続動作を、第２指示により、前記プリント手段と操作部との少なくともいずれかにより、実行可能にし、
更に、前記制御手段は、
前記第２指示による前記第２の連続動作を、前記第１指示による前記第１連続動作が開始する前に、完了する、ことを特徴とする画像形成装置。
【請求項５】
第１のジョブデータ及び第２のジョブデータを含む互いに独立した複数のジョブデータを記憶可能な記憶手段のジョブデータを印刷可能なプリント手段を有する画像形成装置であって、
該記憶手段の前記第１のジョブデータの印刷処理を実行し、且つ、前記第２のジョブデータの印刷処理を実行する、第１の連続動作、を、実行可能にする制御手段を有し、
前記制御手段は、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行する、第２の連続動作を、前記プリント手段と操作部との少なくともいずれかにより、実行可能にし、
更に、前記制御手段は、
前記プリント手段と操作部との少なくともいずれかにより前記第２の連続動作を実行中に、前記プリント手段による他のジョブのデータの印刷処理を禁止可能にする、ことを特徴とする画像形成装置。
【請求項６】
第１のジョブデータ及び第２のジョブデータを含む互いに独立した複数のジョブデータを記憶可能な記憶手段のジョブデータを印刷可能なプリント手段を有する画像形成装置であって、
該記憶手段の前記第１のジョブデータの印刷処理を実行し、且つ、前記第２のジョブデータの印刷処理を実行する、第１の連続動作、を、該プリント手段により実行可能にする制御手段を有し、
前記制御手段は、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行する、第２の連続動作を、前記プリント手段と操作部との少なくともいずれかにより、実行可能にし、
更に、前記制御手段は、
第１のジョブデータの印刷処理を実行した後に第２のジョブデータの印刷処理を実行する第１の順序で、前記第１の連続動作を実行する場合に、前記第１のジョブデータの印刷結果をユーザにより確認可能にする試し出力処理を実行した後に前記第２のジョブデータの印刷結果をユーザにより確認可能にする試し出力処理を実行する前記第１の順序と同じ順序で、前記第２の連続動作を実行可能にし、
一方、第２のジョブデータの印刷処理を実行した後に第１のジョブデータの印刷処理を実行する第２の順序で、前記第１の連続動作を実行する場合に、前記第２のジョブデータの印刷結果をユーザにより確認可能にする試し出力処理を実行した後に前記第１のジョブデータの印刷結果をユーザにより確認可能にする試し出力処理を実行する前記第２の順序と同じ順序で、前記第２の連続動作を実行可能にする、ことを特徴とする画像形成装置。
【請求項７】
請求項４〜６の何れか１項に記載の画像形成装置であって、
前記第１の連続動作及び前記第２の連続動作のうちの前記第１の連続動作を、ユーザにより指定されたタイミングで実行させる第１モードと、該指定されたタイミング以外のタイミングで前記第１の連続動作を実行させる第２モードのうちの何れかのモードをユーザにより選択可能にすることを特徴とする画像形成装置。
【請求項８】
互いに独立した複数のジョブデータを記憶可能な記憶手段のジョブデータを印刷可能な画像形成装置のジョブ処理方法であって、
前記記憶手段のジョブデータのうちの、互いに独立した複数のジョブデータの印刷処理を連続的に実行する複数ジョブ連続印刷動作を、前記画像形成装置により、実行可能にし、
前記複数ジョブ連続印刷動作により連続印刷対象となる複数のジョブデータの印刷処理が全て完了する前に、印刷結果をユーザにより確認可能にする試し印刷処理を、該連続印刷対象となる前記複数のジョブデータの夫々に対して、前記画像形成装置により、実行可能にする、ことを特徴とする画像形成装置のジョブ処理方法。
【請求項９】
互いに独立した複数のジョブデータを記憶可能な記憶手段のジョブデータを印刷可能な画像形成装置のジョブ処理方法であって、
前記記憶手段のジョブデータのうちの、互いに独立した複数のジョブデータの印刷処理をジョブ毎に設定済みの印刷条件でもって連続的に実行する複数ジョブ連続印刷動作を、前記画像形成装置により、実行可能にし、
前記複数ジョブ連続印刷動作により連続印刷対象の前記複数のジョブデータの印刷処理が全て完了する前に、印刷結果をユーザにより確認可能にする試し印刷処理を、該連続印刷対象の前記複数のジョブデータの夫々に対して、前記画像形成装置により、実行可能にし、
該試し印刷処理がなされたうえで、前記連続印刷対象の前記複数のジョブデータの印刷条件を変更可能にし、
該印刷条件の変更がなされたうえで、前記複数のジョブデータの前記複数ジョブ連続印刷動作を、前記画像形成装置により、実行可能にすることを特徴とするジョブ処理方法。
【請求項１０】
請求項８又は９記載のジョブ処理方法であって、
前記連続印刷対象となるジョブをユーザが選択した際に前記複数ジョブ連続印刷動作を実行させる即時連続印刷モードと、
前記連続印刷対象となるジョブをユーザが選択した際に前記複数ジョブ連続印刷動作を実行させずに、ユーザが指定したタイミングで、前記複数ジョブ連続印刷動作を実行させる日時指定連続印刷モードと、
のうちの、ユーザにより指定されたモードでもって、前記複数ジョブ連続印刷動作を、前記画像形成装置により、実行可能にする、ことを特徴とするジョブ処理方法。
【請求項１１】
第１のジョブデータ及び第２のジョブデータを含む互いに独立した複数のジョブデータを記憶可能な記憶手段のジョブデータを印刷可能なプリント手段を有する画像形成装置を含む画像形成システムのジョブ処理方法であって、
該記憶手段の前記第１のジョブデータの印刷処理を実行し、且つ、前記第２のジョブデータの印刷処理を実行する、第１の連続動作、を、第１指示により、該プリント手段により実行可能にし、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行する、第２の連続動作を、第２指示により、前記プリント手段と操作部との少なくともいずれかにより、実行可能にし、
前記第２指示による前記第２の連続動作を、前記第１指示による前記第１連続動作が開始する前に、完了する、ことを特徴とするジョブ処理方法。
【請求項１２】
第１のジョブデータ及び第２のジョブデータを含む互いに独立した複数のジョブデータを記憶可能な記憶手段のジョブデータを印刷可能なプリント手段を有する画像形成装置を含む画像形成システムのジョブ処理方法であって、
該記憶手段の前記第１のジョブデータの印刷処理を実行し、且つ、前記第２のジョブデータの印刷処理を実行する、第１の連続動作、を、前記プリント手段により実行可能にし、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行する、第２の連続動作を、前記プリント手段と操作部との少なくともいずれかにより、実行可能にし、
前記プリント手段と操作部との少なくともいずれかにより前記第２の連続動作を実行中に、前記プリント手段による他のジョブのデータの印刷処理を禁止可能にする、ことを特徴とするジョブ処理方法。
【請求項１３】
第１のジョブデータ及び第２のジョブデータを含む互いに独立した複数のジョブデータを記憶可能な記憶手段のジョブデータを印刷可能なプリント手段を有する画像形成装置を含む画像形成システムのジョブ処理方法であって、
該記憶手段の前記第１のジョブデータの印刷処理を実行し、且つ、前記第２のジョブデータの印刷処理を実行する、第１の連続動作、を、該プリント手段により実行可能にし、
該記憶手段の前記第１のジョブデータの印刷結果をユーザにより確認可能にする試し出力処理を実行し、且つ、該記憶手段の前記第２のジョブデータの印刷結果をユーザにより確認可能にする試し出力処理を実行する、第２の連続動作を、前記プリント手段と操作部との少なくともいずれかにより、実行可能にし、
前記第１のジョブデータの印刷処理を実行した後に第２のジョブデータの印刷処理を実行する第１の順序で、前記第１の連続動作を実行する場合に、前記第１のジョブデータの印刷結果をユーザにより確認可能にする試し出力処理を実行した後に前記第２のジョブデータの印刷結果をユーザにより確認可能にする試し出力処理を実行する前記第１の順序と同じ順序で、前記第２の連続動作を実行可能にし、
一方、前記第２のジョブデータの印刷処理を実行した後に前記第１のジョブデータの印刷処理を実行する第２の順序で、前記第１の連続動作を実行する場合に、前記第２のジョブデータの印刷結果をユーザにより確認可能にする試し出力処理を実行した後に前記第１のジョブデータの印刷結果をユーザにより確認可能にする試し出力処理を実行する前記第２の順序と同じ順序で、前記第２の連続動作を実行可能にする、ことを特徴とするジョブ処理方法。
【請求項１４】
請求項１１乃至１３の何れか１項に記載のジョブ処理方法であって、
前記第１の連続動作及び前記第２の連続動作のうちの前記第１の連続動作を、ユーザにより指定されたタイミングで実行させる第１モードと、該指定されたタイミング以外のタイミングで前記第１の連続動作を実行させる第２モードのうちの何れかのモードをユーザにより選択可能にすることを特徴とするジョブ処理方法。
【請求項１５】
請求項１１乃至１４の何れか１項に記載のジョブ処理方法であって、
前記第２の連続動作における前記試し出力処理として、前記プリント手段による試し印刷処理と、該印刷結果のプレビュ表示処理と、の少なくともいずれかを実行可能にすることを特徴とするジョブ処理方法。
【請求項１６】
請求項１１乃至１５の何れか１項に記載のジョブ処理方法であって、
前記複数のジョブデータは、前記画像形成装置のスキャナ手段からのジョブデータ及び前記画像形成装置とデータ通信可能な情報処理装置から出力されるジョブデータの少なくとも何れかを含み、
前記操作部は、前記画像形成装置の操作部を含むことを特徴とするジョブ処理方法。
【請求項１７】
請求項１１乃至１６の何れか１項に記載のジョブ処理方法であって、
前記複数のジョブデータは、前記画像形成装置のスキャナ手段からのジョブデータ及び前記画像形成装置とデータ通信可能な情報処理装置から出力されるジョブデータの少なくとも何れかを含み、
前記操作部は、前記情報処理装置の操作部を含むことを特徴とするジョブ処理方法。
【請求項１８】
請求項１１乃至１７の何れか１項に記載のジョブ処理方法であって、
前記第２の連続動作における試し出力処理を実行したうえで、ユーザにより前記第１の連続動作にて処理対象となる前記第１のジョブデータ、及び、前記第２のジョブデータの印刷条件の設定変更を、ジョブ毎に、前記操作部を介してユーザにより実行可能とする、ことを特徴とするジョブ処理方法。
【請求項１９】
請求項８乃至１８の何れか１項に記載のジョブ処理方法であって、
前記複数のジョブデータは、前記画像形成装置のスキャナ手段からのジョブデータと、前記画像形成装置とデータ通信可能な情報処理装置から出力されるジョブデータと、の少なくともいずれかであることを特徴とするジョブ処理方法。
【請求項２０】
請求項８乃至１９の何れか１項に記載のジョブ処理方法を実行することを特徴とする画像形成システム。
【請求項２１】
請求項８乃至１９の何れか１項に記載のジョブ処理方法を実行する為のコンピュータプログラムを記憶したことを特徴とするコンピュータ読取り可能な記憶媒体。
【請求項２２】
請求項８乃至１９の何れか１項に記載のジョブ処理方法を実行する為のコンピュータプログラム。